(57)【要約】【課題】安定したレーザ発振を得る。【解決手段】ＨＲコーティングＭ１を形成した第１面１ａとそれに対向する第２面１ｂとが平行でない形状の第１のレーザ結晶１の第２面１ｂに、第１面２ａとそれに対向する第２面２ｂとが平行な波長変換素子２の第１面２ａを接合し、第１のレーザ結晶１と同一構成の第２のレーザ結晶３の第１面３ａが第１のレーザ結晶１の第１面１ａと平行になるように該第２のレーザ結晶３の第２面３ｂを波長変換素子２の第２面２ｂに接合した。【効果】光共振器内部での反射による無用の光共振を十分に抑制でき、安定したレーザ発振が得られる。【選択図】図１
2010267890.tif 000002
【特許請求の範囲】
【請求項１】
ｋを１以上の整数として、光軸方向に、共振器ミラーＭ１／屈折率Ｎ1の媒質／屈折率Ｎ2の媒質／…／屈折率Ｎ2k+1の媒質／共振器ミラーＭ２、なる構成を持ち、ｊを１からｋまでの整数として、屈折率Ｎj＝Ｎ2k+2-j、屈折率Ｎjの媒質と屈折率Ｎj+1の媒質の界面をＳjとするとき、共振器ミラーＭ１と共振器ミラーＭ２とが平行、界面Ｓjと界面Ｓ2k+1-jとが平行、且つ、共振器ミラーＭ１と共振器ミラーＭ２の間を往復して発振するレーザ光に対して界面Ｓjは垂直でないことを特徴とするレーザ光共振装置。
【請求項２】
ＨＲコーティング（Ｍ１）を形成した第１面（１ａ）とそれに対向する第２面（１ｂ）とが平行でない形状の第１のレーザ結晶（１）の第２面（１ｂ）に、第１面（２ａ）とそれに対向する第２面（２ｂ）とが平行な波長変換素子（２）の第１面（２ａ）を接合または接着し、前記第１のレーザ結晶（１）と同一構成の第２のレーザ結晶（３）の第１面（３ａ）が前記第１のレーザ結晶（１）の第１面（１ａ）と平行になるように該第２のレーザ結晶（３）の第２面（３ｂ）を前記波長変換素子（２）の第２面（２ｂ）に接合または前記接着と同一種類の接着剤で接着したことを特徴とするレーザ用光学素子。
【発明の詳細な説明】
【技術分野】
【０００１】
本発明は、レーザ光共振装置に関し、さらに詳しくは、光共振器内部での反射による無用の光共振を十分に抑制でき、安定したレーザ発振が得られるレーザ光共振装置に関する。
【背景技術】
【０００２】
従来、片面にＨＲコーティングを形成し他の片面にＡＲコーティングを形成したレーザ結晶と、片面にＡＲコーティングを形成し他の片面にＨＲコーティングを形成した波長変換素子とを、ＡＲコーティングを形成した面同士で接着し一体化した構造の光学素子が知られている（特許文献１参照。）。
この光学素子のレーザ結晶を光励起すると、レーザ結晶が基本波を発生し、この基本波がＨＲコーティングの間で反射し往復することにより基本波のレーザ発振が起こり、この基本波のレーザ光が波長変換素子で波長変換されて外部へ出力される。
【先行技術文献】
【特許文献】
【０００３】
【特許文献１】特開２００７−２２５７８６号公報
【発明の概要】
【発明が解決しようとする課題】
【０００４】
上記従来の光学素子では、レーザ結晶と波長変換素子とを接着する面にＡＲコーティングを形成することにより、この面での光の反射を抑制している。
しかし、光の反射を十分に抑制できず、反射した光が光共振を起こして、本来のレーザ発振に悪影響が及んでしまうことがある問題点があった。
そこで、本発明の目的は、光共振器内部での反射による無用の光共振を十分に抑制でき、安定したレーザ発振が得られるレーザ光共振装置を提供することにある。
【課題を解決するための手段】
【０００５】
第１の観点では、本発明は、ｋを１以上の整数として、光軸方向に、共振器ミラーＭ１／屈折率Ｎ1の媒質／屈折率Ｎ2の媒質／…／屈折率Ｎ2k+1の媒質／共振器ミラーＭ２、なる構成を持ち、ｊを１からｋまでの整数として、屈折率Ｎj＝Ｎ2k+2-j、屈折率Ｎjの媒質と屈折率Ｎj+1の媒質の界面をＳjとするとき、共振器ミラーＭ１と共振器ミラーＭ２とが平行、界面Ｓjと界面Ｓ2k+1-jとが平行、且つ、共振器ミラーＭ１と共振器ミラーＭ２の間を往復して発振するレーザ光に対して界面Ｓjは垂直でないことを特徴とするレーザ光共振装置を提供する。
上記第１の観点によるレーザ光共振装置では、共振器ミラーＭ１に入射した光と反射した光は同じ経路を通ると共に共振器ミラーＭ２に入射した光と反射した光は同じ経路を通るため、光は共振器ミラーＭ１と共振器ミラーＭ２の間を往復し、光共振によりレーザ光の発振が起こる。一方、界面Ｓjに入射した光と反射した光は別の経路を通るため、光共振が起こらない。すなわち、光共振器内部での反射による無用の光共振を十分に抑制でき、安定したレーザ発振が得られる。
【０００６】
第２の観点では、本発明は、ＨＲコーティング（Ｍ１）を形成した第１面（１ａ）とそれに対向する第２面（１ｂ）とが平行でない形状の第１のレーザ結晶（１）の第２面（１ｂ）に、第１面（２ａ）とそれに対向する第２面（２ｂ）とが平行な波長変換素子（２）の第１面（２ａ）を接合または接着し、前記第１のレーザ結晶（１）と同一構成の第２のレーザ結晶（３）の第１面（３ａ）が前記第１のレーザ結晶（１）の第１面（１ａ）と平行になるように該第２のレーザ結晶（３）の第２面（３ｂ）を前記波長変換素子（２）の第２面（２ｂ）に接合または前記接着と同一種類の接着剤で接着したことを特徴とするレーザ用光学素子を提供する。
上記第２の観点によるレーザ用光学素子では、ＨＲコーティング（Ｍ１，Ｍ２）に入射した光と反射した光は同じ経路を通るため、光は第１のレーザ結晶（１）のＨＲコーティング（Ｍ１）と第２のレーザ結晶（３）のＨＲコーティング（Ｍ２）の間を往復し、光共振によりレーザ光の発振が起こる。一方、内部の界面に入射した光と反射した光は別の経路を通るため、光共振が起こらない。すなわち、光共振器内部での反射による無用の光共振を十分に抑制でき、安定したレーザ発振が得られる。
【発明の効果】
【０００７】
本発明のレーザ光共振装置およびレーザ用光学素子によれば、光共振器内部での反射による無用の光共振を十分に抑制でき、安定したレーザ発振が得られる。
【図面の簡単な説明】
【０００８】
【図１】実施例１に係るレーザ用光学素子を示す正面図である。
【図２】実施例１に係るレーザ用光学素子を示す底面図である。
【図３】実施例１に係るレーザ用光学素子の動作説明図である。
【図４】実施例１に係るレーザ用光学素子の製造方法を示す分解正面図である。
【図５】実施例１に係るレーザ用光学素子の製造方法を示す分解底面図である。
【図６】実施例２に係るレーザ用光学素子を示す正面図である。
【図７】実施例２に係るレーザ用光学素子を示す底面図である。
【図８】実施例２に係るレーザ用光学素子の動作説明図である。
【発明を実施するための形態】
【０００９】
以下、図に示す実施例により本発明をさらに詳細に説明する。なお、これにより本発明が限定されるものではない。
【実施例】
【００１０】
−実施例１−
図１は、実施例１に係るレーザ用光学素子１０を示す正面図である。
このレーザ用光学素子１０は、ＨＲコーティングＭ１を形成した第１面１ａとそれに対向する第２面１ｂとが平行でない形状の第１のレーザ結晶１の第２面１ｂに、第１面２ａとそれに対向する第２面２ｂとが平行な波長変換素子２の第１面２ａを接合し、第１のレーザ結晶１と同一構成の第２のレーザ結晶３の第１面３ａが第１のレーザ結晶１の第１面１ａと平行になるように該第２のレーザ結晶３の第２面３ｂを波長変換素子２の第２面２ｂに接合した構成である。
【００１１】
図２は、レーザ用光学素子１０を示す底面図である。
レーザ結晶１，３は、Ｎｄ：ＹＶＯ４基板である。
波長変換素子２は、周期的分極反転領域を形成したＭｇＯドープ定比組成タンタル酸リチウム基板２ｃの両面に光学用接着剤２ｅ，２ｅでダミー用タンタル酸リチウム基板２ｄ，２ｄを接着した基板（以下、ＱＰＭ基板と呼ぶ）である。
【００１２】
図３は、レーザ用光学素子１０の動作説明図である。
第１のレーザ結晶１に励起レーザ光Ｌｅを入射させると、第１のレーザ結晶１が基本波レーザ光Ｌｂを発生し、この基本波レーザ光ＬｂがＨＲコーティングＭ１，Ｍ２の間で反射し往復することによりレーザ発振が起こり、この基本波レーザ光Ｌｂが波長変換素子２で波長変換されて高調波レーザ光Ｌｈとして外部へ出力される。
【００１３】
ここで、第１のレーザ結晶１の屈折率Ｎ１＝第２のレーザ結晶３の屈折率Ｎ３である。また、第１のレーザ結晶１と波長変換素子２の界面Ｓ１は、波長変換素子２と第２のレーザ結晶３との界面Ｓ２に平行である。さらに、ＨＲコーティングＭ１，Ｍ２の間を往復して発振する基本波レーザ光Ｌｂに対して界面Ｓ１，Ｓ２は垂直でない。
【００１４】
図４は、レーザ用光学素子１０の製造方法を示す分解正面図である。図５は、同底面図である。
［１］第１のレーザ結晶１は、Ｎｄ：ＹＶＯ４基板のＣ面（１ａ）およびそれに対向するＣ面から角度θだけＡ軸側に傾斜させた面（１ｂ）を鏡面研磨する。
波長変換素子２は、ＱＰＭ基板の両Ｘ面（２ａ，２ｂ）を平行に鏡面研磨する。
第２のレーザ結晶３は、Ｎｄ：ＹＶＯ４基板のＣ面（３ａ）およびそれに対向するＣ面から角度θだけＡ軸側に傾斜させた面（３ｂ）を鏡面研磨する。
［２］波長変換素子２の一方の研磨Ｘ面（２ａ）に第１のレーザ結晶１の傾斜研磨面（１ｂ）を接合する。
第１のレーザ結晶１のＣ面（１ａ）と第２のレーザ結晶３のＣ面（３ａ）とが平行になるように、波長変換素子２の他方の研磨Ｘ面（２ｂ）に第２のレーザ結晶３の傾斜研磨面（３ｂ）を接合する。
［３］第１のレーザ結晶１のＣ面（１ａ）にＨＲコーティング（Ｍ１）を施す。
第２のレーザ結晶３のＣ面（３ａ）にＨＲコーティング（Ｍ２）を施す。
【００１５】
実施例１に係るレーザ用光学素子１０によれば、ＨＲコーティングＭ１，Ｍ２に入射したレーザ光Ｌｂと反射したレーザ光Ｌｂは同じ経路を通るため、レーザ光Ｌｂは第１のレーザ結晶１のＨＲコーティングＭ１と第２のレーザ結晶３のＨＲコーティングＭ２の間を往復し、光共振によりレーザ光の発振が起こる。一方、内部の界面Ｓ１，Ｓ２に入射した光と反射した光は別の経路を通るため、光共振が起こらない。従って、光共振器内部での反射による無用の光共振を十分に抑制でき、安定したレーザ発振が得られる。
【００１６】
−実施例２−
図６は、実施例２に係るレーザ用光学素子２０を示す正面図である。
このレーザ用光学素子２０は、ＨＲコーティングＭ１を形成した第１面１ａとそれに対向する第２面１ｂとが平行でない形状の第１のレーザ結晶１の第２面１ｂに、第１面２ａとそれに対向する第２面２ｂとが平行な波長変換素子２の第１面２ａを、第１の接着剤層４を介して接着し、第１のレーザ結晶１と同一構成の第２のレーザ結晶３の第１面３ａが第１のレーザ結晶１の第１面１ａと平行になるように該第２のレーザ結晶３の第２面３ｂを波長変換素子２の第２面２ｂに、第１の接着剤層４と同じ接着剤による第２の接着剤層５を介して接着した構成である。
【００１７】
図７は、レーザ用光学素子２０を示す底面図である。
４ａは第１の接着剤層４の第１面であり、４ｂは第２面である。
５ａは第２の接着剤層５の第１面であり、５ｂは第２面である。
【００１８】
図８は、レーザ用光学素子２０の動作説明図である。
第１のレーザ結晶１に励起レーザ光Ｌｅを入射させると、第１のレーザ結晶１が基本波レーザ光Ｌｂを発生し、この基本波レーザ光ＬｂがＨＲコーティングＭ１，Ｍ２の間で反射し往復することによりレーザ発振が起こり、この基本波レーザ光Ｌｂが波長変換素子２で波長変換されて高調波レーザ光Ｌｈとして外部へ出力される。
【００１９】
ここで、第１のレーザ結晶１の屈折率Ｎ１＝第２のレーザ結晶３の屈折率Ｎ３である。また、第１の接着剤層４の屈折率Ｎ２＝第２の接着剤層５の屈折率Ｎ４である。また、第１のレーザ結晶１と第１の接着剤層４の界面Ｓ１は、第２の接着剤層５と第２のレーザ結晶３との界面Ｓ４に平行である。また、第１の接着剤層４と波長変換素子２の界面Ｓ２は、波長変換素子２と第２の接着剤層５の界面Ｓ３に平行である。さらに、ＨＲコーティングＭ１，Ｍ２の間を往復して発振する基本波レーザ光Ｌｂに対して界面Ｓ１，Ｓ２，Ｓ３，Ｓ４は垂直でない。
【００２０】
レーザ用光学素子２０の製造方法は、レーザ用光学素子１０の製造方法と同様である。ただし、波長変換素子２の一方の研磨Ｘ面（２ａ）に第１のレーザ結晶１の傾斜研磨面（１ｂ）を接合する代わりに接着剤で接着する。また、波長変換素子２の他方の研磨Ｘ面（２ｂ）に第２のレーザ結晶３の傾斜研磨面（３ｂ）を接合する代わりに接着剤で接着する。
なお、接着の際、Ｎａランプ光で干渉縞をチェックするなどして、波長変換素子２の一方の研磨Ｘ面（２ａ）と第１のレーザ結晶１の傾斜研磨面（１ｂ）とが平行になるように、また、波長変換素子２の他方の研磨Ｘ面（２ｂ）と第２のレーザ結晶３の傾斜研磨面（３ｂ）とが平行になるようにする。
【００２１】
実施例２に係るレーザ用光学素子２０によれば、ＨＲコーティングＭ１，Ｍ２に入射したレーザ光Ｌｂと反射したレーザ光Ｌｂは同じ経路を通るため、レーザ光Ｌｂは第１のレーザ結晶１のＨＲコーティングＭ１と第２のレーザ結晶３のＨＲコーティングＭ２の間を往復し、光共振によりレーザ光の発振が起こる。一方、内部の界面Ｓ１，Ｓ２，Ｓ３，Ｓ４に入射した光と反射した光は別の経路を通るため、光共振が起こらない。従って、光共振器内部での反射による無用の光共振を十分に抑制でき、安定したレーザ発振が得られる。
【産業上の利用可能性】
【００２２】
本発明の光共振装置およびレーザ用光学素子は、波長０．５３２μｍのグリーン光を出力する用途などに利用できる。
【符号の説明】
【００２３】
１              第１のレーザ結晶
２              波長変換素子
３              第２のレーザ結晶
４              第１の接着剤層
５              第２の接着剤層
１０，２０      レーザ用光学素子
Ｍ１，Ｍ２      ＨＲコーティング
Ｎ１〜Ｎ５      屈折率
Ｓ１〜Ｓ４      界面
Ｌｂ            
【図１】
2010267890.tif 000003
【図２】
2010267890.tif 000004
【図３】
2010267890.tif 000005
【図４】
2010267890.tif 000006
【図５】
2010267890.tif 000007
【図６】
2010267890.tif 000008
【図７】
2010267890.tif 000009
【図８】
2010267890.tif 000010